(57)【要約】【課題】吹出口流速を平衡化することにより流速差による損失を低減した空気清浄機。空気流の流速を平衡化し、流速差による損失を低減した空気清浄機を提供する。【解決手段】  吹出口流速が遅い位置に配置されたフラップの横幅を吹出口と同じ寸法に、吹出口流速が速い位置に配置されたフラップの横幅を吹出口よりも大きくすることにより損失を低減した。【選択図】図1
2020101304.tif 000002
【特許請求の範囲】
【請求項１】
吸込口と吹出口を形成し、モータにより駆動される遠心力形ファンよりなる送風手段を設けた本体と、この本体に設けられる送風手段の風上側に設けられる集塵ユニットと脱臭ユニットを備えた空気清浄機において、
前記本体に清浄した空気を吹き出す吹出口と、吹出口の空気を排出する角度を調整するフラップが設けられ、前記フラップは、複数枚前後方向に並べて設けられており、
吹出口流速が遅い位置に配置された前記フラップの横幅を吹出口の横幅と略同じ寸法に、吹出口流速が速い位置に配置された前記フラップの横幅を吹出口の横幅よりも大きくしたことを特徴とする空気清浄機。
【発明の詳細な説明】
【技術分野】
【０００１】
本発明は、空気清浄機に関する。
【背景技術】
【０００２】
従来より空気清浄機は、空気を取り入れる吸気口を持ち、吸気口から取り入れた空気を内部フィルタで濾過することで清浄された空気を吹出口から機体外へと排出する仕組みとなっている（特許文献１）。
【先行技術文献】
【特許文献】
【０００３】
【特許文献１】特許第6398828号公報
【発明の概要】
【発明が解決しようとする課題】
【０００４】
従来の空気清浄機では、吹出口の流速が速い部分と遅い部分がある。しかしながら、特許文献１に記載の空気清浄機では、ルーバーが同一形状であるため、流速が速い部分と遅い部分で流速差による抵抗が発生する恐れがある。
【０００５】
本発明は、このような従来の課題を解決する為のものであり、吹出口流速を平衡化することにより流速差による損失を低減した空気清浄機を提供することを目的とする。
【課題を解決するための手段】
【０００６】
本発明は、空気清浄機の吹出口に複数のフラップを設け、吹出口流速が遅い位置に配置されたフラップの横幅を吹出口と同じ寸法に、吹出口流速が速い位置に配置されたフラップの横幅を吹出口よりも大きくしたことを特徴とする。
【発明の効果】
【０００７】
本発明によれば、吹出口流速を平衡化し、流速差による損失を低減した空気清浄機を提供できる。
【図面の簡単な説明】
【０００８】
【図１】本発明の実施形態に係る空気清浄機の外観斜視図である。
【図２】本発明の実施形態に係る空気清浄機の分解斜視図である。
【図３】本発明の実施形態に係る空気清浄機を上面から見た際の上面図である。
【発明を実施するための形態】
【０００９】
以下、本発明の実施形態について適宜図面を参照しながら詳細に説明する。
図１は、本発明の実施形態に係る空気清浄機１の外観斜視図である。図２は、空気清浄機１の分解斜視図である。図３は、本発明の実施形態に係る空気清浄機を上面から見た際の上面図である。
【００１０】
図１に示すように、本実施形態に係る空気清浄機１は、前面を覆うフロントパネル２と、後述する送風機構９等を備えるハウジング３と、ハウジング３の上に位置するフラップ４０である前側フラップ４と後側フラップ５と、を有する。ハウジング３は、左右の側面を覆うサイドケース３ａ（図１には左側のサイドケースのみ図示）と、後面を覆うリアケース３ｂと、上面に位置するフラップフレーム３ｃと、フラップフレーム３ｃ（図１の外観には見えないため図２参照）で覆われる操作パネル３ｄと、を有する。フラップフレーム３ｃは、前側フラップ４と後側フラップ５も覆い、前から、操作パネル３ｄ、前側フラップ４、後側フラップ５の順に位置する。
【００１１】
図２に示すように、空気清浄機１のハウジング３内には、フロントパネル２側（前側）からリアケース３ｂ側（後側）に向かって、浄化フィルタ類１６と、送風手段である送風機構９がこの順番で配置されている。
【００１２】
浄化フィルタ類１６は、プレフィルタ１６ａと、集塵フィルタ１６ｂと、脱臭フィルタ１６ｃとで主に構成されている。送風機構９は、遠心力形ファンである遠心ファン１０と、スクロール１１と、モータ１２とで主に構成されている。
【００１３】
このハウジング３内には、後記する送風機構９の遠心ファン１０が回転することによって、フロントパネル２の前面側に設けた吸込口である吸気口２ａからハウジング３の外部の空気が流入する。そして、この空気流は浄化フィルタ類１６を流通する。
【００１４】
その後、フィルタ類１６により濾過された空気は遠心ファン１０が収納されるスクロール１１の上部開口の吹出口１１ａ及び前側フラップ４や後側フラップ５を介して空気清浄機１のハウジング３外に送り出される。
【００１５】
浄化フィルタ類１６は、フロントパネル２側（前側）からリアケース３ｂ側（後側）に向かって、集塵ユニットであるプレフィルタ１６ａと、集塵フィルタ１６ｂと、脱臭ユニットである脱臭フィルタ１６ｃと、がこの順番で配置されて構成されている。
【００１６】
プレフィルタ１６ａは、綿ゴミ等の比較的大きなゴミを捕集するものである。集塵フィルタ１６ｂは、チリ、ホコリ、花粉等の比較的小さな微粒子を捕集するものである。
【００１７】
脱臭フィルタ１６ｃは、臭いの元となる化学物質を吸着するものである。
【００１８】
送風機構９は、スクロール１１内に配置される遠心ファン１０と、この遠心ファン１０を回転させるモータ１２とを備えて構成されている。
【００１９】
この送風機構９は、前記したように、遠心ファン１０が回転することにより、フロントパネル２の吸気口から導入した空気を浄化フィルタ類１６に流通させた後、前側フラップ４及び後側フラップ５を介してハウジング３外に送り出す。
【００２０】
前側フラップ４と後側フラップ５はそれぞれ固定軸部４ａ、５ａを中心に回動することで開閉角度を調整し、清浄後の空気を排出する角度を調整する。
【００２１】
前側フラップ４と後側フラップ５は本体の運転に従い自動的に開閉する。未使用時は閉じており、機内にホコリ、異物が侵入するのを防止する。
【００２２】
ここで、前側フラップ４の横幅を前側フラップ横幅４ｗとし、後側フラップの横幅を後側フラップ横幅５ｗ、吹出口１１ａの横幅を吹出口横幅１１ａｗとする。
【００２３】
吹出口１１ａの流速が前側のほうが速い場合は、図１や図３に示すように、前側フラップ４は、後側フラップ５よりも左右方向の長さが大きい。つまり、前側フラップ横幅４ｗは、後側フラップ横幅５ｗよりも大きい。本実施形態では、吹出口横幅１１ａｗは後側フラップ横幅５ｗとほぼ同じ大きさである。
【００２４】
反対に、吹出口の流速が後側の方が速い場合は、後側フラップ５が、前側フラップ４よりも左右方向の長さは大きい。
【００２５】
上記のように、流速が速い方のフラップの横幅を、遅い方のフラップの横幅よりも大きくすることで、吹出口流速を平衡化し、流速差による損失を低減した空気清浄機を提供できるという効果を奏する。
【００２６】
言い換えると、吸込口と吹出口を形成し、モータにより駆動される遠心力形ファンよりなる送風手段を設けた本体と、この本体に設けられる送風手段の風上側に設けられる集塵ユニットと脱臭ユニットを備えた空気清浄機において、前記本体に清浄した空気を吹き出す吹出口と、吹出口の空気を排出する角度を調整するフラップが設けられ、前記フラップは、複数枚前後方向に並べて設けられており、吹出口流速が遅い位置に配置された前記フラップの横幅を吹出口の横幅と略同じ寸法に、吹出口流速が速い位置に配置された前記フラップの横幅を吹出口の横幅よりも大きくしたことで、吹出口流速を平衡化し、流速差による損失を低減した空気清浄機を提供できるという効果を奏する。
【００２７】
また，本実施例ではフラップは２枚であるが、空気清浄機１本体の構成によっては２枚以上あってもよい。
【符号の説明】
【００２８】
１      空気清浄機
２      フロントパネル
３      ハウジング
３ａ    サイドケース
３ｂ    リアケース
３ｃ    フラップフレーム
３ｄ    操作パネル
４      前側フラップ
５      後側フラップ
６      フロントケース
７      グリル
８      ＢＭプレート
９      送風機構
１０    遠心ファン
１１    スクロール
１２    ファンモータ
１３    ソウフウグリル
１４    ベースプレート
１５    パネルアーム
１６    浄化フィルタ類
１６ａ  プレフィルタ
１６ｂ  集塵フィルタ
１６ｃ  脱臭フィルタ
【図１】
2020101304.tif 000003
【図２】
2020101304.tif 000004
【図３】
2020101304.tif 000005